【手続補正書】
【提出日】平成30年5月23日(2018.5.23)
【手続補正１】
【補正対象書類名】特許請求の範囲
【補正対象項目名】全文
【補正方法】変更
【補正の内容】
【特許請求の範囲】
【請求項１】
1つまたは複数のデータ処理装置によって実行される方法であって、
ユーザデバイスに関連付けられた地理的ロケーションを指定するコンテンツ要求を受信するステップと、
前記1つまたは複数のデータ処理装置によって、前記コンテンツ要求に応じて、前記ユーザデバイスに提供されることになるコンテンツアイテムを識別するステップと、
前記1つまたは複数のデータ処理装置によっておよび前記地理的ロケーションに基づいて、前記識別したコンテンツアイテムについてのエクステンダの条件を満たしていると決定するステップと、
前記コンテンツアイテムのプロバイダによっておよび前記エクステンダの条件を満たしていることに応じて指定されたコンテンツフィードから、前記地理的ロケーションに基づいて追加のコンテンツを識別するステップと、
前記1つまたは複数のデータ処理装置によって、前記エクステンダの条件を満たしていることに応じて表示される前記コンテンツアイテムの拡張部分における表示のために追加のコンテンツを提供するステップと
を含む、方法。
【請求項２】
異なる地理的ロケーションを指定する第2のコンテンツ要求を受信するステップと、
前記第2のコンテンツ要求を受信したことに応じて、前記コンテンツアイテムの前記拡張部分における表示のための異なる追加のコンテンツを提供するステップと
を含む、請求項1に記載の方法。
【請求項３】
前記ユーザデバイスに提供されることになるコンテンツアイテムを識別するステップは、前記コンテンツ要求によって指定されたユーザ属性と一致している配信パラメータを有している広告を識別するステップを含む、請求項1に記載の方法。
【請求項４】
前記ユーザ属性に基づいて決定される1つまたは複数の変数を前記広告が含むと決定するステップと、
前記1つまたは複数の変数が決定されることになるフィードデータの一部を選択するステップであって、前記選択するステップは、一致しているユーザ属性を含んでいた以前のコンテンツ要求に応じて、前記1つまたは複数の変数を決定するために以前使用された前記フィードデータの一部についての実績指標に基づく、ステップと
を含む、請求項3に記載の方法。
【請求項５】
前記1つまたは複数の変数の代わりに、選択された前記フィードデータの一部を含めるステップを含む、請求項4に記載の方法。
【請求項６】
前記ユーザ属性に基づいて前記広告についての入札価格を決定するステップと、
前記入札価格を広告選択プロセスに提供するステップと
を含む、請求項3に記載の方法。
【請求項７】
前記広告についての入札価格を決定するステップは、
前記受信したコンテンツ要求内の少なくとも1つの前記ユーザ属性が入札価格変更条件に一致していると決定するステップと、
前記広告についての前記入札価格を前記少なくとも1つのユーザ属性に対応する値に設定するステップと
を含む、請求項6に記載の方法。
【請求項８】
コンテンツアイテムのプロバイダについてのフィードデータを記憶するデータストアと、
前記データストアとやりとりするとともに命令を実行する1つまたは複数のコンピュータとを備え、前記命令は、前記1つまたは複数のコンピュータに、
ユーザデバイスに関連付けられた地理的ロケーションを指定するコンテンツ要求を受信するステップと、
前記コンテンツ要求に応じて、前記ユーザデバイスに提供されることになるコンテンツアイテムを識別するステップと、
前記地理的ロケーションに基づいて、前記識別したコンテンツアイテムについてのエクステンダの条件を満たしていると決定するステップと、
前記コンテンツアイテムの前記プロバイダによっておよび前記エクステンダの条件を満たしていることに応じて指定されたコンテンツフィードから、前記地理的ロケーションに基づいて追加のコンテンツを識別するステップと、
前記エクステンダの条件を満たしていることに応じて表示される前記コンテンツアイテムの拡張部分における表示のために追加のコンテンツを提供するステップと
を含む処理を実行させる命令を含む、システム。
【請求項９】
前記命令は、前記1つまたは複数のコンピュータに、
異なる地理的ロケーションを指定する第2のコンテンツ要求を受信するステップと、
前記第2のコンテンツ要求を受信したことに応じて、前記コンテンツアイテムの前記拡張部分における表示のための異なる追加のコンテンツを提供するステップと
を含む処理を実行させる、請求項8に記載のシステム。
【請求項１０】
前記ユーザデバイスに提供されることになるコンテンツアイテムを識別するステップは、前記コンテンツ要求によって指定されたユーザ属性と一致している配信パラメータを有している広告を識別するステップを含む、請求項8に記載のシステム。
【請求項１１】
前記命令は、前記1つまたは複数のコンピュータに、
前記ユーザ属性に基づいて決定される1つまたは複数の変数を前記広告が含むと決定するステップと、
前記1つまたは複数の変数が決定されることになるフィードデータの一部を選択するステップであって、前記選択するステップは、一致しているユーザ属性を含んでいた以前のコンテンツ要求に応じて、前記1つまたは複数の変数を決定するために以前使用された前記フィードデータの一部についての実績指標に基づく、ステップと
を含む処理を実行させる、請求項10に記載のシステム。
【請求項１２】
前記命令は、前記1つまたは複数のコンピュータに、前記1つまたは複数の変数の代わりに、選択された前記フィードデータの一部を含めるステップを含む処理を実行させる、請求項11に記載のシステム。
【請求項１３】
前記命令は、前記1つまたは複数のコンピュータに、
前記ユーザ属性に基づいて前記広告についての入札価格を決定するステップと、
前記入札価格を広告選択プロセスに提供するステップと
を含む処理を実行させる、請求項10に記載のシステム。
【請求項１４】
前記広告についての入札価格を決定するステップは、
前記受信したコンテンツ要求内の少なくとも1つの前記ユーザ属性が入札価格変更条件に一致していると決定するステップと、
前記広告についての前記入札価格を前記少なくとも1つのユーザ属性に対応する値に設定するステップと
を含む、請求項13に記載のシステム。
【請求項１５】
命令を記憶するコンピュータストレージデバイスであって、前記命令は、1つまたは複数のコンピュータによって実行されると、前記1つまたは複数のコンピュータに、
ユーザデバイスに関連付けられた地理的ロケーションを指定するコンテンツ要求を受信するステップと、
前記コンテンツ要求に応じて、前記ユーザデバイスに提供されることになるコンテンツアイテムを識別するステップと、
前記地理的ロケーションに基づいて、前記識別したコンテンツアイテムについてのエクステンダの条件を満たしていると決定するステップと、
前記コンテンツアイテムのプロバイダによっておよび前記エクステンダの条件を満たしていることに応じて指定されたコンテンツフィードから、前記地理的ロケーションに基づいて追加のコンテンツを識別するステップと、
前記エクステンダの条件を満たしていることに応じて表示される前記コンテンツアイテムの拡張部分における表示のために追加のコンテンツを提供するステップと
を含む処理を実行させる、コンピュータストレージデバイス。
【請求項１６】
前記命令は、前記1つまたは複数のコンピュータに、
異なる地理的ロケーションを指定する第2のコンテンツ要求を受信するステップと、
前記第2のコンテンツ要求を受信したことに応じて、前記コンテンツアイテムの前記拡張部分における表示のための異なる追加のコンテンツを提供するステップと
を含む処理を実行させる、請求項15に記載のコンピュータストレージデバイス。
【請求項１７】
前記ユーザデバイスに提供されることになるコンテンツアイテムを識別するステップは、前記コンテンツ要求によって指定されたユーザ属性と一致している配信パラメータを有している広告を識別するステップを含む、請求項15に記載のコンピュータストレージデバイス。
【請求項１８】
前記命令は、前記1つまたは複数のコンピュータに、
前記ユーザ属性に基づいて決定される1つまたは複数の変数を前記広告が含むと決定するステップと、
前記1つまたは複数の変数が決定されることになるフィードデータの一部を選択するステップであって、前記選択するステップは、一致しているユーザ属性を含んでいた以前のコンテンツ要求に応じて、前記1つまたは複数の変数を決定するために以前使用された前記フィードデータの一部についての実績指標に基づく、ステップと
を含む処理を実行させる、請求項17に記載のコンピュータストレージデバイス。
【請求項１９】
前記命令は、前記1つまたは複数のコンピュータに、前記1つまたは複数の変数の代わりに、選択された前記フィードデータの一部を含めるステップを含む処理を実行させる、請求項18に記載のコンピュータストレージデバイス。
【請求項２０】
前記命令は、前記1つまたは複数のコンピュータに、
前記受信したコンテンツ要求内の少なくとも1つの前記ユーザ属性が入札価格変更条件に一致していると決定するステップと、
前記広告についての入札価格を前記少なくとも1つのユーザ属性に対応する値に設定するステップと、
前記入札価格を広告選択プロセスに提供するステップと
を含む処理を実行させる、請求項17に記載のコンピュータストレージデバイス。